(57)【特許請求の範囲】
【請求項１】
建造物に設けられた開口部を流れようとする水の流れを遮断するための遮水装置であって、
ロール状に巻かれることによって巻回体を構成するとともに、前記巻回体から引き出されることによって前記水の流れを遮断する遮水壁を構成するための遮水部材と、
前記開口部の水平方向両端部に鉛直方向に延びて設けられ、前記遮水壁の水平方向両端部を前記水の流れの下流側から受けるための左右一対の支柱と、
前記巻回体を構成する前記遮水部材の巻回方向の内側端部に設けられ、前記水の浮力で浮上する浮力体と、
前記巻回体を構成する前記遮水部材の巻回方向の外側端部を、前記開口部の下方に設けられた固定対象物に固定するための固定手段とを備える、遮水装置。
【請求項２】
前記左右一対の支柱には、前記遮水壁の水平方向両端部に当接される止水部材が鉛直方向に延びて設けられている、請求項１に記載の遮水装置。
【請求項３】
前記遮水部材は、前記遮水壁を構成したときに、前記左右一対の支柱間に上下方向に間隔を隔てて配置される複数の棒状部材と、前記複数の棒状部材を保持するとともに、前記複数の棒状部材間の隙間を閉塞するためのシート部材とを有する、請求項１または２に記載の遮水装置。
【請求項４】
前記シート部材は、前記遮水壁における前記水の流れの下流側の面を構成する第１シートと、前記遮水壁における前記水の流れの上流側の面を構成する第２シートとを有しており、
前記第１シートと前記第２シートとは、前記複数の棒状部材を挟んだ状態で、前記隙間において互いに接合されている、請求項３に記載の遮水装置。
【請求項５】
前記棒状部材は、空気を閉じ込めるための内部空間を有している、請求項３または４に記載の遮水装置。
【請求項６】
前記棒状部材は、前記水の流れの下流側に平坦面を有する断面Ｄ字状に形成されている、請求項３ないし５のいずれか１項に記載の遮水装置。
【請求項７】
前記浮力体に設けられ、前記浮力体が浮上するときに生じる回転力を利用して、前記遮水部材をロール状に巻き戻すための力を蓄える巻取り装置を備える、請求項１ないし６のいずれか１項に記載の遮水装置。
【請求項８】
前記巻取り装置は、帯状のばね板が巻回された第１ドラムと、前記浮力体の回転軸に設けられ、前記ばね板の端部が接続された第２ドラムと、前記第１ドラムおよび前記第２ドラムを回転可能に支持する基体と、前記第２ドラムの回転に伴って前記基体が回転することを阻止するための回転阻止部とを有しており、
前記浮力体が浮上するときに生じる回転力で前記第２ドラムが回転されたとき、前記ばね板がその復元力に抗して前記第１ドラムから引き出されて前記第２ドラムに巻き取られる、請求項７に記載の遮水装置。
【請求項９】
前記回転阻止部は、上方に向かうにつれて前記水の流れの下流側に移行するように傾斜する当接部を有しており、
前記基体は、前記当接部に当接されることによってその回転が阻止される、請求項８に記載の遮水装置。
【請求項１０】
上方に向けて開かれた出入口を有し、前記開口部の下方で前記巻回体を収容するための収容部と、
前記巻回体が前記収容部に収容されたときに前記出入口を閉じる蓋体と、
前記出入口を閉じた状態の前記蓋体に引っ掛けられるロック位置と前記ロック位置から外れたロック解除位置との間を移動可能に構成されたロック部と、
前記ロック部を前記ロック解除位置に向けて付勢するためのロック解除手段と、
前記収容部に収容された前記巻回体の荷重を受けて、前記ロック部を前記ロック解除手段の付勢に抗して前記ロック位置に向けて付勢するためのロック手段とを備える、請求項１ないし９のいずれか１項に記載の遮水装置。
【発明の詳細な説明】
【技術分野】
【０００１】
本発明は、建造物に設けられた開口部を流れようとする水の流れを遮断するための遮水装置に関する。
【背景技術】
【０００２】
特許文献１には、ロール状に巻かれた非透水性フィルムを、水の浮力を利用して引き出しながら建具等（ドアおよびシャッター等）の屋外側の面に展張するようにした防水装置が開示されている。この防水装置では、モータ等の動力装置は不要であり、自然力だけで動作させることができる。
【先行技術文献】
【特許文献】
【０００３】
【特許文献１】特開２００７−２３９４３２号公報
【０００４】
特許文献１に記載された防水装置では、水圧に耐え得る強度を有する建具等が必要であるため、建具等が設けられていない開口部には使用できないという問題があった。
【発明の概要】
【０００５】
本発明は、上記問題に対処するためになされたものであり、自然力だけで動作させることができるとともに、建具等が設けられていない開口部にも使用できる、遮水装置を提供することを目的とする。
【０００６】
上記目的を達成するため、本発明の特徴は、建造物に設けられた開口部を流れようとする水の流れを遮断するための遮水装置であって、ロール状に巻かれることによって巻回体を構成するとともに、前記巻回体から引き出されることによって前記水の流れを遮断する遮水壁を構成するための遮水部材と、前記開口部の水平方向両端部に鉛直方向に延びて設けられ、前記遮水壁の水平方向両端部を前記水の流れの下流側から受けるための左右一対の支柱と、前記巻回体を構成する前記遮水部材の巻回方向の内側端部に設けられ、前記水の浮力で浮上する浮力体と、前記巻回体を構成する前記遮水部材の巻回方向の外側端部を、前記開口部の下方に設けられた固定対象物に固定するための固定手段とを備えることにある。
【０００７】
この構成において、洪水等の際に地表面に溢れ出た水の水位が上昇すると、その水の浮力で浮力体が上昇し、巻回体から遮水部材が引き出されて遮水壁が構成される。したがって、モータ等の動力装置は不要であり、自然力だけで動作させることができる。また、遮水壁の水平方向両端部は、左右一対の支柱によって水の流れの下流側から受けられるので、建具等が設けられていない開口部にも使用できる。
【０００８】
本発明の他の特徴は、前記左右一対の支柱には、前記遮水壁の水平方向両端部に当接される止水部材が鉛直方向に延びて設けられていることにある。
【０００９】
この構成では、遮水壁と支柱との隙間を止水部材で封止できるので、当該隙間からの水漏れを防止できる。
【００１０】
本発明の他の特徴は、前記遮水部材は、前記遮水壁を構成したときに、前記左右一対の支柱間に上下方向に間隔を隔てて配置される複数の棒状部材と、前記複数の棒状部材を保持するとともに、前記複数の棒状部材間の隙間を閉塞するためのシート部材とを有することにある。
【００１１】
この構成では、複数の棒状部材によって、水圧に耐え得る強度を確保できる。
【００１２】
本発明の他の特徴は、前記シート部材は、前記遮水壁における前記水の流れの下流側の面を構成する第１シートと、前記遮水壁における前記水の流れの上流側の面を構成する第２シートとを有しており、前記第１シートと前記第２シートとは、前記複数の棒状部材を挟んだ状態で、前記隙間において互いに接合されていることにある。
【００１３】
この構成では、複数の棒状部材を確実に保持できる。また、複数の棒状部材間の隙間では、第１シートと第２シートとが重ね合わされるので、シート部材の強度を大きくすることができる。
【００１４】
本発明の他の特徴は、前記棒状部材は、空気を閉じ込めるための内部空間を有していることにある。
【００１５】
この構成では、棒状部材に作用する水の浮力によって、遮水部材を巻回体からスムーズに引き出すことができる。
【００１６】
本発明の他の特徴は、前記棒状部材は、前記水の流れの下流側に平坦面を有する断面Ｄ字状に形成されていることにある。
【００１７】
この構成では、棒状部材における水の流れの下流側の面が平坦面に形成されており、この平坦面が支柱で受けられるので、支柱に対する棒状部材の当接面積を大きくすることが可能であり、支柱と棒状部材との隙間からの水漏れを抑制できる。また、棒状部材における水の流れの上流側の面が曲面に形成されているので、水圧に対する強度を大きくすることができる。
【００１８】
本発明の他の特徴は、前記浮力体に設けられ、前記浮力体が浮上するときに生じる回転力を利用して、前記遮水部材をロール状に巻き戻すための力を蓄える巻取り装置を備えることにある。
【００１９】
この構成において、水の水位が低下する際には、巻取り装置に蓄えられた力だけで遮水部材をロール状に巻き戻すことができる。
【００２０】
本発明の他の特徴は、前記巻取り装置は、帯状のばね板が巻回された第１ドラムと、前記浮力体の回転軸に設けられ、前記ばね板の端部が接続された第２ドラムと、前記第１ドラムおよび前記第２ドラムを回転可能に支持する基体と、前記第２ドラムの回転に伴って前記基体が回転することを阻止するための回転阻止部とを有しており、前記浮力体が浮上するときに生じる回転力で前記第２ドラムが回転されたとき、前記ばね板がその復元力に抗して前記第１ドラムから引き出されて前記第２ドラムに巻き取られることにある。
【００２１】
この構成において、浮力体が上昇する際には、第２ドラムの回転回数に関係なく、第２ドラムに一定のトルクでばね板を巻き取ることができ、浮力体をスムーズに上昇させることができる。一方、浮力体が降下する際には、第１ドラムの回転回数に関係なく、第１ドラムに一定のトルクでばね板を巻き戻すことができ、遮水部材をスムーズに巻き戻して巻回体を構成することができる。
【００２２】
本発明の他の特徴は、前記回転阻止部は、上方に向かうにつれて前記水の流れの下流側に移行するように傾斜する当接部を有しており、前記基体は、前記当接部に当接されることによってその回転が阻止されることにある。
【００２３】
浮力体が上昇する際には、巻回体から遮水部材が引き出されることによって巻回体の直径が徐々に小さくなり、巻取り装置が水の流れの下流側に移動する。上記構成では、回転阻止部の当接部が、上方に向かうにつれて水の流れの下流側に移行するように傾斜しているので、前記浮力体が昇降する全域において基体の回転を確実に阻止できる。
【００２４】
本発明の他の特徴は、上方に向けて開かれた出入口を有し、前記開口部の下方で前記巻回体を収容するための収容部と、前記巻回体が前記収容部に収容されたときに前記出入口を閉じる蓋体と、前記出入口を閉じた状態の前記蓋体に引っ掛けられるロック位置と前記ロック位置から外れたロック解除位置との間を移動可能に構成されたロック部と、前記ロック部を前記ロック解除位置に向けて付勢するためのロック解除手段と、前記収容部に収容された前記巻回体の荷重を受けて、前記ロック部を前記ロック解除手段の付勢に抗して前記ロック位置に向けて付勢するためのロック手段とを備えることにある。
【００２５】
この構成では、収容部に収容された巻回体の荷重で、ロック部をロック位置に移動させることができる。
【図面の簡単な説明】
【００２６】
【図１】本発明の一実施形態に係る遮水装置の構成を示す正面図である。
【図２】図１に示す遮水装置の左側部分の構成を示す断面図である。
【図３】図１に示す遮水装置の左側部分の構成を示す斜視図である。
【図４】遮水部材、止水部材および固定手段の構成を示す断面図である。
【図５】浮力体および巻取り装置の構成を示す斜視図である。
【図６】ロック機構の構成を示す斜視図である。
【図７】巻取り装置の動作を示す側面図である。
【図８】遮水壁で水の流れを遮断する状態を示す斜視図である。
【発明を実施するための形態】
【００２７】
以下、本発明に係る遮水装置の実施形態について図面を参照しながら説明する。
【００２８】
図１は、本発明の一実施形態に係る遮水装置１０の構成を示す正面図である。図２は、遮水装置１０の左側部分の構成を示す断面図である。図３は、遮水装置１０の左側部分の構成を示す斜視図である。図１および図２に示す遮水装置１０は、大雨、洪水および津波等が発生した際に、住宅等の建造物１２に設けられた開口部１４を流れようとする水の流れを遮断するものである。
【００２９】
以下の説明で用いる方向の概念は、図１および図２に示す矢印の方向を基準とする。つまり、開口部１４における水の流れの上流側を「前」、開口部１４における水の流れの下流側を「後」、前側から見て左側を「左」、前側から見て右側を「右」とする。遮水装置１０は、左右対称に構成されているため、以下では、主に、遮水装置１０の左側の部分に着目して説明する。図１において、左右対称の部分には、同じ符号を付している。
【００３０】
図１に示すように、遮水装置１０は、支柱１６と、左右一対の支柱１６間における開口部１４の下方に設けられた収容部１８と、収容部１８に水を導くための導水部２０（図２）と、各支柱１６に設けられた第１止水部材２２と、収容部１８に設けられた第２止水部材２４とを備えている。また、図２に示すように、遮水装置１０は、ロール状に巻かれることによって巻回体２６を構成するとともに、巻回体２６から引き出されることによって遮水壁２８を構成するための遮水部材３０と、遮水部材３０の巻回方向の内側端部３０ａに設けられた浮力体３２と、遮水部材３０の巻回方向の外側端部３０ｂを固定対象物に固定するための固定手段３４とを備えている。さらに、遮水装置１０は、浮力体３２に設けられた巻取り装置３６と、収容部１８の出入口３８を開閉するための蓋体４０と、蓋体４０の開動作を禁止したり許容したりするためのロック機構４２とを備えている。
【００３１】
図１に示すように、左右一対の支柱１６は、遮水部材３０によって構成された遮水壁２８の水平方向両端部を水の流れの下流側から受けるものであり、開口部１４の水平方向両端部に鉛直方向に延びて設けられている。図３に示すように、各支柱１６は、鉛直方向に延びる側面視で四角形の板状の本体部４６と、本体部４６の４つの辺から開口部１４の中央側に延びて形成された板状の後壁部４８ａ、前壁部４８ｂ、上壁部４８ｃおよび下壁部４８ｄとを有している。
【００３２】
図３に示すように、支柱１６の上壁部４８ｃには、後述する回転阻止部５０の上端部を支持する第１支持部５２が設けられており、第１支持部５２には、ネジ孔（図示省略）が形成されている。支柱１６の下壁部４８ｄには、後述する回転阻止部５０の下端部を支持する第２支持部５４が設けられており、第２支持部５４には、ネジ孔（図示省略）が形成されている。
【００３３】
本実施形態の支柱１６は、ステンレス等の金属によって形成されており、図１に示すように、コンクリート等からなる開口部１４の側部に、ボルト等の固定手段（図示省略）を用いて固定されている。支柱１６を開口部１４の側部に固定した状態において、支柱１６の下端部は、地表面Ｇよりも下方に配置されている。
【００３４】
図３に示すように、収容部１８は、開口部１４の下方で巻回体２６を収容するための凹部を構成する部分であり、断面四角形の溝状に形成されている。収容部１８は、支柱１６の後壁部４８ａに連続する後壁部６０ａと、支柱１６の前壁部４８ｂに連続する前壁部６０ｂと、支柱１６の下壁部４８ｄに連続する下壁部６０ｄとを有している。収容部１８の上部には、上方に向けて開放された出入口３８が設けられている。後壁部６０ａの上端縁には、蓋体４０を受けるための板状の蓋受部６２が後方に突出して形成されている。蓋受部６２の左右方向両端部には、蓋体４０を回動可能に支持するための回動支持部６４が設けられている。前壁部６０ｂの上端縁には、蓋体４０を受けるための板状の蓋受部６６が前方に突出して形成されている。
【００３５】
図２に示すように、導水部２０は、収容部１８の内部に水を導入するための凹部を構成する部分であり、収容部１８の前方に左右方向に延びて設けられている。導水部２０と収容部１８とは、連通孔６８を介して連通されている。導水部２０の下部には、排水管７０の上流側端部が接続されている。導水部２０の上部には、上方に向けて開放された導水口７２が設けられており、導水口７２には、複数の導水孔（図示省略）を有するグレーチング７４が取り付けられている。
【００３６】
図１に示すように、第１止水部材２２は、遮水部材３０によって構成された遮水壁２８の水平方向端部に当接されることによって、遮水壁２８の水平方向端部と支柱１６との隙間を封止するものである。図３に示すように、第１止水部材２２は、ゴムおよびエラストマー等のような弾性材料（本実施形態ではクロロプレンゴム）からなる第１層２２ａおよび第２層２２ｂを有している。第２層２２ｂは第１層２２ａよりも軟質（本実施形態では高発泡倍率）に形成されており、硬質の第１層２２ａが支柱１６の後壁部４８ａに対して、鉛直方向に延びるように固定されている。したがって、硬質の第１層２２ａによって、水圧で押される遮水壁２８（図１）の水平方向端部を受け止めることができ、軟質の第２層２２ｂによって、第１止水部材２２の表面を遮水壁２８（図１）の水平方向端部に密接させることができる。
【００３７】
図１に示すように、第２止水部材２４は、遮水部材３０によって構成された遮水壁２８の下端部に当接されることによって、遮水壁２８の下端部と収容部１８との隙間を封止するものである。図４は、遮水部材３０、第２止水部材２４および固定手段３４の構成を示す断面図である。図４に示すように、第２止水部材２４は、ゴムおよびエラストマー等のような弾性材料（本実施形態ではクロロプレンゴム）からなる第１層２４ａおよび第２層２４ｂを有している。第２層２４ｂは第１層２４ａよりも軟質（本実施形態では高発泡倍率）に形成されており、硬質の第１層２４ａが収容部１８の後壁部６０ａに対して、水平方向に延びるように固定されている。したがって、硬質の第１層２４ａによって、水圧で押される遮水壁２８（図１）の下端部を受け止めることができ、軟質の第２層２４ｂによって、第２止水部材２４の表面を遮水壁２８（図１）の下端部に密接させることができる。図１に示すように、第２止水部材２４の左右方向両端部は、第１止水部材２２の下端部に連結されている。
【００３８】
図４に示すように、遮水部材３０は、遮水壁２８（図１）を構成したときに、左右一対の支柱１６間に上下方向に間隔を隔てて配置される複数の棒状部材８０と、複数の棒状部材８０を保持するとともに、複数の棒状部材８０間の隙間Ｗを閉塞するためのシート部材８２とを有している。棒状部材８０は、空気を閉じ込めるための内部空間Ｓ１を有する管状に形成されており、内部空間Ｓ１には、複数の独立気泡を有する発泡樹脂（本実施形態では発泡ウレタン）からなる芯材８４が収容されている。本実施形態の棒状部材８０は、炭素繊維強化プラスチック（ＣＦＲＰ）によって、水の流れの下流側に平坦面を有する断面Ｄ字状に形成されている。棒状部材８０を製造する際には、断面Ｄ字状に形成された芯材８４の表面に、樹脂（本実施形態ではポリエステル）を含浸させた炭素繊維シート（プリプレグ）が巻き付けられる。
【００３９】
図４に示すように、シート部材８２は、遮水壁２８（図１）における水の流れの下流側の面を構成する第１シート８２ａと、遮水壁２８（図１）における水の流れの上流側の面を構成する第２シート８２ｂとを有している。第１シート８２ａと第２シート８２ｂとは、複数の棒状部材８０を挟んだ状態で、隙間Ｗにおいて互いに接合されている。本実施形態の第１シート８２ａおよび第２シート８２ｂは、クロロスルホン化ポリエチレン、ターポリンおよびポリ塩化ビニル等のような熱可塑性樹脂または熱可塑性樹脂を含む可撓性を有する材料で形成されており、隙間Ｗにおいて互いに溶着されている。
【００４０】
図５は、浮力体３２および巻取り装置３６の構成を示す斜視図である。図５に示すように、浮力体３２は、水の浮力で浮上して遮水壁２８（図１）の上端部を支持するとともに、遮水部材３０をロール状に巻くときの巻回軸となるものであり、浮き部８６とスペーサー部８８とを有している。
【００４１】
図５に示すように、浮き部８６は、浮力体３２において水の浮力を生じさせる部分であり、炭素繊維強化プラスチック（ＣＦＲＰ）によって円管状に形成されている。浮き部８６の両端部には、浮き部８６の内部に空気を閉じ込めるように、円板状の閉塞部材９０が装着されている。閉塞部材９０の中心部には、回転軸９２が設けられている。左右両側の回転軸９２には、左右対称に構成された一対の巻取り装置３６が取り付けられている。なお、図５では、右側の巻取り装置３６を示している。
【００４２】
図５に示すように、スペーサー部８８は、主に、第１止水部材２２と対向する位置において、浮力体３２と巻回体２６を構成する遮水部材３０との隙間を解消する部分である。図８に示すように、本実施形態では、複数のスペーサー部８８が左右方向に間隔を隔てて設けられている。スペーサー部８８は、棒状部材８０とほぼ同じ高さで形成された段差部９６を有しており、スペーサー部８８の外周面は、段差部９６の最低部９６ａから段差部９６の最高部９６ｂまで連続するように滑らかな曲面に形成されている。そして、遮水壁２８（図１）の上端部を構成する棒状部材８０が、段差部９６の入隅に配置されており、遮水壁２８（図１）の上端縁を構成するシート部材８２（図４）の端縁が、最高部９６ｂまたはその近傍の部分に対して、溶着、接着およびネジ等の固定手段（図示省略）で固定されている。
【００４３】
図４に示すように、固定手段３４は、遮水部材３０の外側端部３０ｂを開口部１４の下方に設けられた「固定対象物」に固定するものであり、Ｌ字状の断面を有する棒状の固定金具１００と、複数のボルト１０２とを有している。本実施形態の「固定対象物」は、収容部１８の後壁部６０ａである。後壁部６０ａにおける第２止水部材２４の下方に位置する部分には、ボルト１０２が螺合される複数のネジ孔１０４が水平方向に間隔を隔てて形成されている。
【００４４】
図４に示すように、固定金具１００は、水平方向に延びる第１片１００ａと、第１片１００ａの上端縁から前方に突出して形成された第２片１００ｂとを有している。第１片１００ａには、複数のネジ孔１０４に対応する複数の貫通孔１０６が形成されている。遮水部材３０の外側端部３０ｂは、シート部材８２によって構成されており、外側端部３０ｂを構成するシート部材８２には、複数のネジ孔１０４に対応する複数の貫通孔１０８が形成されている。
【００４５】
図４に示す固定手段３４を用いて外側端部３０ｂを後壁部６０ａに固定する際には、外側端部３０ｂを構成するシート部材８２が、第２止水部材２４の前面および下面ならびに後壁部６０ａの前面に沿って配置される。そして、第２止水部材２４の下面および後壁部６０ａの前面との間でシート部材８２を挟むようにして固定金具１００が配置され、固定金具１００の貫通孔１０６およびシート部材８２の貫通孔１０８にボルト１０２が挿通されて、このボルト１０２が収容部１８のネジ孔１０４に螺合される。
【００４６】
図５に示す巻取り装置３６は、浮力体３２が浮上するときに生じる回転力を利用して、遮水部材３０をロール状に巻き戻すための力を蓄えるものである。巻取り装置３６は、第１ドラム１１２と、第２ドラム１１４と、基体１１６とを有している。基体１１６は、第１ドラム１１２および第２ドラム１１４を回転可能に支持する支持板１１８と、支持板１１８の３つの辺から支持板１１８に対して直交する方向に延びて形成された後壁部１２０ａ、前壁部１２０ｂおよび上壁部１２０ｃとを有している。なお、図５では、支持板１１８、後壁部１２０ａ、前壁部１２０ｂおよび上壁部１２０ｃを二点鎖線（仮想線）で示している。
【００４７】
図５に示すように、第１ドラム１１２には、帯状のばね板１１０が巻回されており、ばね板１１０の巻回方向の内側の端部は、第１ドラム１１２の外周面に接続されている。第１ドラム１１２から引き出されたばね板１１０の巻回方向の外側の端部は、第２ドラム１１４の外周面に接続されている。第２ドラム１１４は、浮力体３２の回転軸９２に設けられている。ばね板１１０が自然状態のとき、ばね板１１０は第１ドラム１１２に巻回された状態にある。
【００４８】
図３に示すように、巻取り装置３６は、第２ドラム１１４の回転に伴って基体１１６が回転することを阻止するための回転阻止部５０を有している。回転阻止部５０は、断面Ｌ字状の棒状部材であり、支柱１６の本体部４６に対向して配置される第１片５０ａと、巻取り装置３６の基体１１６に前方から対向して配置される「当接部」としての第２片５０ｂとを有している。第１片５０ａの上端部には、ボルト１２２ａが挿通される長孔１２４ａが前後方向に延びて形成されており、第１片５０ａの下端部には、ボルト１２２ｂが挿通される長孔１２４ｂが前後方向に延びて形成されている。そして、長孔１２４ａに挿通されたボルト１２２ａが第１支持部５２のネジ孔（図示省略）に螺合されており、長孔１２４ｂに挿通されたボルト１２２ｂが第２支持部５４のネジ孔（図示省略）に螺合されている。本実施形態では、回転阻止部５０の第２片（当接部）５０ｂが、上方に向かうにつれて水の流れの下流側に移行するように傾斜して配置されている。浮力体３２が水の浮力で上昇するときには、巻取り装置３６の基体１１６が第２片（当接部）５０ｂに当接されることによって、基体１１６の回転が阻止される。第２片（当接部）５０ｂの傾斜角度は、長孔１２４ａおよび１２４ｂに対するボルト１２２ａおよび１２２ｂの位置を調整することによって適宜調整可能である。
【００４９】
図２に示すように、蓋体４０は、巻回体２６が収容部１８の内部に収容されたときに、収容部１８の出入口３８を閉じるものであり、板状の蓋本体４０ａと、蓋本体４０ａの左右方向両端部に設けられた回動軸（図示省略）と、蓋本体４０ａの下面に設けられたＵ字状の引掛け部１２６（図６）とを有している。蓋体４０の回動軸（図示省略）は、図３に示す回動支持部６４で回動可能に支持されている。本実施形態では、２つの引掛け部１２６が左右方向に間隔を隔てて設けられているが、引掛け部１２６の数は、適宜変更されてもよい。
【００５０】
図６は、ロック機構４２の構成を示す斜視図である。図６に示すように、ロック機構４２は、支持台１２８と、入力部材１３０と、第１アーム部材１３２と、第２アーム部材１３４と、ロック部材１３６とを有している。支持台１２８は、巻回体２６（図３）を下方から支持する支持板１２８ａと、支持板１２８ａを支持する左右一対の脚部１２８ｂとを有している。支持板１２８ａの中央部には、貫通孔１２８ｃが形成されている。入力部材１３０は、巻回体２６（図３）に押し下げられる入力板１３０ａと、入力板１３０ａの下面に接続された入力棒１３０ｂとを有している。入力棒１３０ｂは、支持板１２８ａに形成された貫通孔１２８ｃに挿通されている。第１アーム部材１３２は、前後方向に延びる棒状部材であり、第１アーム部材１３２の長手方向中央部には、左右方向に延びる回動軸１３８が設けられている。回動軸１３８の両端部は、支持台１２８の左右一対の脚部１２８ｂで支持されている。第１アーム部材１３２の後端部は、入力棒１３０ｂの下端部に回動可能に接続されている。
【００５１】
図６に示すように、第２アーム部材１３４は、上下方向に延びる棒状部材であり、第２アーム部材１３４の下端部が、第１アーム部材１３２の前端部に回動可能に接続されている。ロック部材１３６は、蓋体４０（図３）の引掛け部１２６に対して上方から対向するロック部１３６ａと、ロック部１３６ａの前端部から下方に延びて形成された第１アーム部１３６ｂと、第１アーム部１３６ｂの下端部から前方に延びて形成された第２アーム部１３６ｃとを有している。第１アーム部１３６ｂと第２アーム部１３６ｃとの連結部１３６ｄは、収容部１８（図３）に設けられた取付部１４０に回動可能に接続されている。第２アーム部１３６ｃの前端部は、第２アーム部材１３４の上端部に回動可能に接続されている。
【００５２】
図６に示すように、入力部材１３０が巻回体２６（図３）の荷重を受けて押し下げられると、ロック部材１３６は、右側から見て時計回りに回動された位置に配置される。これにより、ロック部１３６ａは、引掛け部１２６に引っ掛けられる「ロック位置」に配置され、蓋体４０（図３）の開動作が禁止される。水の浮力で巻回体２６（図３）が上昇し、入力部材１３０を押し下げる力が解除されると、第２アーム部材１３４がその重量によって降下して、ロック部材１３６は、右側から見て反時計回りに回動された位置に配置される。これにより、ロック部１３６ａは、「ロック位置」から外れた「ロック解除位置」に配置され、蓋体４０（図３）の開動作が許容される。このように、ロック部１３６ａは、「ロック位置」と「ロック解除位置」との間を移動可能に構成されている。
【００５３】
本実施形態では、第２アーム部材１３４の荷重でロック部１３６ａを「ロック解除位置」に向けて付勢するためのロック機構４２の構成部分が「ロック解除手段」となっている。また、巻回体２６（図３）の荷重を受けて、ロック部１３６ａをロック解除手段の付勢に抗して「ロック位置」に向けて付勢するためのロック機構４２の構成部分が「ロック手段」となっている。
【００５４】
以下には、遮水装置１０の動作について説明する。図３に示すように、通常時には、遮水部材３０がロール状に巻かれて巻回体２６が構成されており、この巻回体２６が収容部１８の内部に収容されて支持台１２８の上面に載置されている。このとき、図６に示すロック機構４２は、ロック部１３６ａを「ロック位置」で保持しており、ロック部１３６ａによって蓋体４０の開動作が禁止されている。したがって、蓋体４０に対して振動が作用した場合でも、蓋体４０が簡単に開くことはない。
【００５５】
大雨、洪水および津波等が発生した際に、地表面Ｇ（図２）に溢れ出た水が開口部１４を流れようとすると、この水は、グレーチング７４（図２）に設けられた複数の導水孔（図示省略）から導水部２０の内部に流入し、連通孔６８を通して収容部１８の内部に流入する。このとき、排水管７０には水が逆流するため、導水部２０の水が排水管７０から排出されることはない。収容部１８の内部に流入した水の水位が上昇すると、浮力体３２および巻回体２６が水の浮力で上昇する。すると、図６に示すロック機構４２によって、ロック部１３６ａが「ロック解除位置」に移動され、蓋体４０（図２）の開動作が許容される。浮力体３２および巻回体２６がさらに上昇すると、蓋体４０が巻回体２６に押し上げられて出入口３８が開放される。
【００５６】
図７は、巻取り装置３６の動作を示す側面図である。図７に示すように、浮力体３２が上昇する際には、巻回体２６から遮水部材３０が引き出されることによって回転力が発生し、この回転力で浮力体３２が回転される。すると、浮力体３２の回転軸９２に接続された第２ドラム１１４が回転され、ばね板１１０が、その復元力に抗して第１ドラム１１２から引き出されて第２ドラム１１４に巻き取られる。これにより、巻取り装置３６には、遮水部材３０をロール状に巻き戻すための力が蓄えられる。
【００５７】
図８は、遮水壁２８で水の流れを遮断する状態を示す斜視図である。図８に示すように、遮水部材３０で遮水壁２８が構成された状態において、巻取り装置３６から遮水部材３０には、遮水部材３０をロール状に巻き戻すための力が付与される。したがって、遮水壁２８を構成する遮水部材３０は弛み難い。
【００５８】
地表面Ｇ（図２）に溢れ出た水の水位が低下すると、浮力体３２が降下するとともに、巻取り装置３６の巻き戻し力で浮力体３２が回転され、遮水部材３０がロール状に巻き戻される。図３に示すように、遮水部材３０が巻き戻されて収容部１８の内部に収容されると、蓋体４０は、その重量で回動されて出入口３８を閉鎖する。巻回体２６が支持台１２８に載置されると、図６に示す入力部材１３０が押し下げられ、ロック部１３６ａが「ロック位置」に移動されて、蓋体４０の開動作が禁止される。
【００５９】
本実施形態によれば、上記構成により以下の各効果を奏することができる。すなわち、図２に示すように、洪水等の際に地表面Ｇに溢れ出た水の水位が上昇すると、その水の浮力で浮力体３２が上昇し、巻回体２６から遮水部材３０が引き出されて遮水壁２８が構成される。したがって、モータ等の動力装置は不要であり、自然力だけで動作させることができる。
【００６０】
図１に示すように、遮水壁２８と支柱１６との隙間を第１止水部材２２で封止でき、遮水壁２８と収容部１８との隙間を第２止水部材２４で封止できるので、これらの隙間からの水漏れを防止できる。
【００６１】
図４に示すように、遮水部材３０は、上下方向に間隔を隔てて配置される複数の棒状部材８０を有しているので、遮水壁２８において水圧に耐え得る強度を確保できる。また、第１シート８２ａと第２シート８２ｂとで複数の棒状部材８０を挟むようにしているので、複数の棒状部材８０を確実に保持できる。さらに、複数の棒状部材８０間の隙間Ｗでは、第１シート８２ａと第２シート８２ｂとが重ね合わされるので、シート部材８２の強度を大きくすることができる。
【００６２】
図４に示すように、棒状部材８０は、空気を閉じ込めるための内部空間Ｓ１を有しているので、棒状部材８０に浮力を生じさせることができ、図２に示す巻回体２６から遮水部材３０をスムーズに引き出すことができる。また、棒状部材８０は、水の流れの下流側に平坦面を有する断面Ｄ字状に形成されているので、支柱１６および収容部１８に対する棒状部材８０の当接面積を大きくすることが可能であり、支柱１６および収容部１８と棒状部材８０との隙間からの水漏れを抑制できる。さらに、棒状部材８０における水の流れの上流側の面が曲面に形成されているので、水圧に対する強度を大きくすることができる。
【００６３】
図７に示すように、巻取り装置３６は、遮水部材３０をロール状に巻き戻すための力を蓄えることができるので、水の水位が低下する際には、巻取り装置３６に蓄えられた力だけで遮水部材３０をロール状に巻き戻すことができる。
【００６４】
図７に示すように、水の水位が上昇して浮力体３２が上昇する際には、第２ドラム１１４の回転回数に関係なく、第２ドラム１１４に一定のトルクでばね板１１０を巻き取ることができ、浮力体３２をスムーズに上昇させることができる。一方、水の水位が下がって浮力体３２が降下する際には、第１ドラム１１２の回転回数に関係なく、第１ドラム１１２に一定のトルクでばね板１１０を巻き戻すことができ、遮水部材３０をスムーズに巻き戻して巻回体２６を構成することができる。
【００６５】
図７に示すように、回転阻止部５０は、上方に向かうにつれて水の流れの下流側に移行するように傾斜する「当接部」としての第２片５０ｂを有しており、基体１１６は、第２片（当接部）５０ｂに当接されることによってその回転が阻止されるので、浮力体３２が昇降する全域において基体１１６の回転を確実に抑制できる。
【００６６】
図６に示すように、収容部１８（図３）に収容された巻回体２６の荷重を利用して、ロック部１３６ａをロック位置に自動的に移動させることができる。
【００６７】
なお、本発明の実施にあたっては、上記実施形態に限定されず、本発明の目的を逸脱しない限りにおいて種々の変更が可能である。例えば、図４に示すように、上記実施形態では、遮水部材３０を構成する棒状部材８０が断面Ｄ字状に形成されているが、棒状部材の断面形状は、特に限定されるものではなく、円形または四角形に形成されてもよい。また、棒状部材８０の内部に空気を閉じ込めるように、棒状部材８０の両端部は閉塞部材（図示省略）で閉塞されてもよい。この場合、棒状部材８０の内部空間Ｓ１に収容される芯材８４は省略されてもよい。
【００６８】
上記実施形態では、浮力体３２の内部空間Ｓ２（図３）の体積が、棒状部材８０の内部空間Ｓ１（図４）の体積よりも大きくされているが、内部空間Ｓ１（図４）の体積が大きくされるとともに、内部空間Ｓ２（図３）の体積が小さくされることによって、これらの体積が同程度にされてもよい。この場合、浮力体３２と棒状部材８０とを同一形状および同一サイズに形成することによって、部品を共通化してもよい。
【００６９】
図４に示すように、上記実施形態では、遮水部材３０の巻回方向の外側端部３０ｂを固定するための「固定対象物」として、収容部１８の後壁部６０ａが用いられているが、収容部１８の内部に設けられた他の部分または部材が「固定対象物」として用いられてもよい。
【符号の説明】
【００７０】
１０…遮水装置、１２…建造物、１４…開口部、１６…支柱、２６…巻回体、
２８…遮水壁、３０…遮水部材、３０ａ…内側端部、３０ｂ…外側端部、３２…浮力体、３４…固定手段
【図１】
0006277524.tif 000002
【図２】
0006277524.tif 000003
【図３】
0006277524.tif 000004
【図４】
0006277524.tif 000005
【図５】
0006277524.tif 000006
【図６】
0006277524.tif 000007
【図７】
0006277524.tif 000008
【図８】
0006277524.tif 000009